(57)【要約】【課題】放射磁界を抑制した上でユニットの大型化を抑制することができる非接触電力伝送ユニット及び非接触電力伝送システムを提供する。【解決手段】非接触電力伝送ユニット１及び非接触電力伝送システムは、予め設定される基準線上に設けられ、信号を送信又は受信する通信カプラ２０と、基準線Ｚａに沿うそれぞれのコイル軸線を中心に渦巻状に形成され、基準線周りに設けられる複数のコイル部３１を有し、少なくとも１組の隣り合うコイル部３１において一方のコイル部３１と他方のコイル部３１とが相互にコイル軸線を中心に逆回りに電流が流れ、非接触で電力を伝送する電力伝送コイル３０とを備える。【選択図】図２
2018152501.tif 000002
【特許請求の範囲】
【請求項１】
予め設定される基準線上に設けられ、信号を送信又は受信する通信部と、
前記基準線に沿うそれぞれのコイル軸線を中心に渦巻状に形成され、前記基準線周りに設けられる複数のコイル部を有し、前記基準線に沿った方向から見て少なくとも１組の隣り合う前記コイル部において一方の前記コイル部と他方の前記コイル部とが相互に前記コイル軸線を中心に逆回りに電流が流れ、非接触で電力を伝送する電力伝送コイルと、
を備えることを特徴とする非接触電力伝送ユニット。
【請求項２】
前記複数のコイル部は、
１本の導線が前記基準線に直交する方向に沿って巻き回されて形成されている請求項１に記載の非接触電力伝送ユニット。
【請求項３】
前記電力伝送コイルは、
前記複数のコイル部が偶数個設けられ、隣り合う全ての前記コイル部の組み合わせにおいて一方の前記コイル部と他方の前記コイル部とが相互に前記コイル軸線を中心に逆回りに電流が流れる請求項１又は２に記載の非接触電力伝送ユニット。
【請求項４】
前記複数のコイル部は、
それぞれの前記コイル軸線が前記基準線と同軸上に位置し、前記基準線に沿った方向から見た場合に、隣り合う前記コイル部において一方の前記コイル部が内側に位置し他方の前記コイル部が外側に位置する請求項１又は２に記載の非接触電力伝送ユニット。
【請求項５】
非接触で電力を送電する送電側の非接触電力伝送ユニットと、
前記送電側の非接触電力伝送ユニットから送電された電力を受電する受電側の非接触電力送電ユニットと、を備え、
少なくとも前記送電側の非接触電力伝送ユニット又は前記受電側の非接触電力伝送ユニットの一方は、
予め設定される基準線上に設けられ、信号を送信又は受信する通信部と、
前記基準線に沿うそれぞれのコイル軸線を中心に渦巻状に形成され、前記基準線周りに設けられる複数のコイル部を有し、前記基準線に沿った方向から見て少なくとも１組の隣り合う前記コイル部において一方の前記コイル部と他方の前記コイル部とが相互に前記コイル軸線を中心に逆回りに電流が流れ、非接触で電力を伝送する電力伝送コイルと、
を有することを特徴とする非接触電力伝送システム。
【発明の詳細な説明】
【技術分野】
【０００１】
本発明は、非接触電力伝送ユニット及び非接触電力伝送システムに関する。
【背景技術】
【０００２】
従来、非接触電力伝送装置は、送電側の非接触電力伝送ユニットから受電側の非接触電力伝送ユニットに非接触で電力を伝送する。送電側又は受電側の非接触電力伝送ユニットは、電磁誘導等により電力を伝送する電力伝送コイルを備え、当該電力伝送コイルに電流が流れることで電力伝送コイルから磁界が放射される。特許文献１は、電力伝送コイルから放射される放射磁界が外部に影響することを抑制するために、電力伝送コイルを分割した複数の単位コイルを有し、隣接する単位コイルに逆回りの電流を流し放射磁界を相殺し抑制している。
【先行技術文献】
【特許文献】
【０００３】
【特許文献１】特開２０１２−１３４２１７号公報
【発明の概要】
【発明が解決しようとする課題】
【０００４】
ところで、非接触電力伝送ユニットは、電力伝送コイルと共に通信機を備えることが望まれている。この場合、非接触電力伝送ユニットは、電力伝送コイルによる放射磁界が通信機に影響することを抑制するために、通信機を電力伝送コイルから遠ざけて設置する傾向がある。このため、非接触電力伝送ユニットは、ユニットが大型化するので、この点で改善の余地がある。
【０００５】
そこで、本発明は、上記に鑑みてなされたものであって、放射磁界を抑制した上でユニットの大型化を抑制することができる非接触電力伝送ユニット及び非接触電力伝送システムを提供することを目的とする。
【課題を解決するための手段】
【０００６】
上述した課題を解決し、目的を達成するために、本発明に係る非接触電力伝送ユニットは、予め設定される基準線上に設けられ、信号を送信又は受信する通信部と、前記基準線に沿うそれぞれのコイル軸線を中心に渦巻状に形成され、前記基準線周りに設けられる複数のコイル部を有し、前記基準線に沿った方向から見て少なくとも１組の隣り合う前記コイル部において一方の前記コイル部と他方の前記コイル部とが相互に前記コイル軸線を中心に逆回りに電流が流れ、非接触で電力を伝送する電力伝送コイルと、を備えることを特徴とする。
【０００７】
また、上記非接触電力伝送ユニットにおいて、前記複数のコイル部は、１本の導線が前記基準線に直交する方向に沿って巻き回されて形成されていることが好ましい。
【０００８】
また、上記非接触電力伝送ユニットにおいて、前記複数のコイル部は、それぞれが前記基準線に交差する方向に隣り合うことが好ましい。
【０００９】
また、上記非接触電力伝送ユニットにおいて、前記複数のコイル部は、それぞれの前記コイル軸線が前記基準線とずれて位置し、かつ、前記基準線に沿った方向から見た場合に相互に隣り合うことが好ましい。
【００１０】
また、上記非接触電力伝送ユニットにおいて、前記電力伝送コイルは、前記複数のコイル部が偶数個設けられ、隣り合う全ての前記コイル部の組み合わせにおいて一方の前記コイル部と他方の前記コイル部とが相互に前記コイル軸線を中心に逆回りに電流が流れることが好ましい。
【００１１】
また、上記非接触電力伝送ユニットにおいて、前記複数のコイル部は、それぞれの前記コイル軸線が前記基準線と同軸上に位置し、前記基準線に沿った方向から見た場合に、隣り合う前記コイル部において一方の前記コイル部が内側に位置し他方の前記コイル部が外側に位置することが好ましい。
【００１２】
また、本発明に係る非接触電力伝送システムは、非接触で電力を送電する送電側の非接触電力伝送ユニットと、前記送電側の非接触電力伝送ユニットから送電された電力を受電する受電側の非接触電力送電ユニットと、を備え、少なくとも前記送電側の非接触電力伝送ユニット又は前記受電側の非接触電力伝送ユニットの一方は、予め設定される基準線上に設けられ、信号を送信又は受信する通信部と、前記基準線に沿うそれぞれのコイル軸線を中心に渦巻状に形成され、前記基準線周りに設けられる複数のコイル部を有し、前記基準線に沿った方向から見て少なくとも１組の隣り合う前記コイル部において一方の前記コイル部と他方の前記コイル部とが相互に前記コイル軸線を中心に逆回りに電流が流れ、非接触で電力を伝送する電力伝送コイルと、を有することを特徴とする。
【発明の効果】
【００１３】
本発明に係る非接触電力伝送ユニット及び非接触電力伝送システムは、基準線上に設けられる通信部と、当該基準線周りに設けられる渦巻状の複数のコイル部とを備え、隣り合うコイル部が相互に逆回りに電流が流れる。これにより、非接触電力伝送ユニット及び非接触電力伝送システムは、放射磁界を抑制することが可能となり、通信部を複数のコイル部の中央に設けることができるのでユニットの大型化を抑制できる。
【図面の簡単な説明】
【００１４】
【図１】図１は、実施形態に係る非接触電力伝送システムの構成例を示す図２のＸ−Ｘ断面図である。
【図２】図２は、実施形態に係る非接触電力伝送ユニットの構成例を示す正面図である。
【図３】図３は、実施形態に係る非接触電力伝送ユニットの放射磁界を示す概念図である。
【図４】図４は、実施形態に係る非接触電力伝送ユニットの放射磁界の度合を示す図である。
【図５】図５は、変形例１に係る非接触電力伝送ユニットの構成例を示す模式図である。
【図６】図６は、変形例１に係る非接触電力伝送ユニットの構成例を示す模式図である。
【図７】図７は、変形例１に係る非接触電力伝送ユニットの構成例を示す模式図である。
【図８】図８は、変形例１に係る非接触電力伝送ユニットの構成例を示す模式図である。
【図９】図９は、変形例１に係る非接触電力伝送ユニットの構成例を示す模式図である。
【図１０】図１０は、変形例１に係る非接触電力伝送ユニットの構成例を示す模式図である。
【図１１】図１１は、変形例１に係る非接触電力伝送ユニットの構成例を示す模式図である。
【図１２】図１２は、変形例１に係る非接触電力伝送ユニットの構成例を示す模式図である。
【図１３】図１３は、変形例１に係る非接触電力伝送ユニットの構成例を示す模式図である。
【図１４】図１４は、変形例１に係る非接触電力伝送ユニットの構成例を示す模式図である。
【図１５】図１５は、変形例１に係る非接触電力伝送ユニットの構成例を示す模式図である。
【図１６】図１６は、変形例１に係る非接触電力伝送ユニットの構成例を示す模式図である。
【図１７】図１７は、変形例１に係る非接触電力伝送ユニットの構成例を示す模式図である。
【図１８】図１８は、変形例２に係る非接触電力伝送ユニットの構成例を示す模式図である。
【図１９】図１９は、変形例２に係る非接触電力伝送ユニットの構成例を示す模式図である。
【図２０】図２０は、変形例３に係る非接触電力伝送ユニットの構成例を示す模式図である。
【図２１】図２１は、変形例３に係る非接触電力伝送ユニットの構成例を示す模式図である。
【発明を実施するための形態】
【００１５】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換又は変更を行うことができる。
【００１６】
〔実施形態〕
実施形態に係る非接触電力伝送ユニット１及び非接触電力伝送システム１００について説明する。非接触電力伝送システム１００は、図示しない電源からの電力を非接触で伝送するシステムである。非接触電力伝送システム１００は、例えば、車両に搭載され、図１に示すように、非接触で電力を送電する送電側の非接触電力伝送ユニット１ａと、当該送電側の非接触電力伝送ユニット１ａから送電された電力を受電する受電側の非接触電力伝送ユニット１ｂとを備える。非接触電力伝送システム１００は、送電側の非接触電力伝送ユニット１ａと受電側の非接触電力伝送ユニット１ｂとが通信可能かつ電力伝送可能にコイル軸線方向に対向して設置される。
【００１７】
送電側及び受電側の非接触電力伝送ユニット１ａ、１ｂは、基準線Ｚａ上に設けられる通信カプラ２０と、当該基準線Ｚａ周りに設けられる渦巻状の複数のコイル部３１とを備え、隣り合うコイル部３１が相互に逆回りに電流が流れる。これにより、送電側及び受電側の非接触電力伝送ユニット１ａ、１ｂは、放射磁界を抑制することが可能となり、通信カプラ２０を複数のコイル部３１の中央に設けることができるのでユニットの大型化を抑制できる。以下、送電側及び受電側の非接触電力伝送ユニット１ａ、１ｂについて詳細に説明する。送電側の非接触電力伝送ユニット１ａと受電側の非接触電力伝送ユニット１ｂとは、同様の構成であるため、特に断りがない限り、単に非接触電力伝送ユニット１と称する。
【００１８】
非接触電力伝送ユニット１は、非接触で電力を伝送するユニットであり、基板１０と、通信部としての通信カプラ２０と、電力伝送コイル３０とを備える。基板１０は、矩形の平板状に形成され、例えば、透磁率の高い磁性体であるフェライトを含んでいる。
【００１９】
通信カプラ２０は、無線で信号を送信又は受信する機器である。通信カプラ２０は、例えば、近接無線転送技術であるＴｒａｎｓｆｅｒＪｅｔ（登録商標）を用いて無線通信を行う。通信カプラ２０は、予め設定される基準線Ｚａ上に設けられる。ここで、基準線Ｚａは、例えば、基板１０の略中央を基板１０の実装面１１に対して垂直に通過する線である。通信カプラ２０は、図２に示すように、後述する複数のコイル部３１が当該通信カプラ２０の周囲に設けられている。通信カプラ２０と各コイル部３１との間には、一定の間隔が設けられている。これにより、通信カプラ２０と各コイル部３１とを電気的に絶縁することができる。また、各コイル部３１に発生する熱が通信カプラ２０に伝わることを抑制することができる。従って、通信カプラ２０の通信性能が低下することを抑制することができる。
【００２０】
電力伝送コイル３０は、非接触で電力を伝送するコイルである。電力伝送コイル３０は、複数のコイル部３１、例えば４個のコイル部３１ａ〜３１ｄを有する（図２参照）。電力伝送コイル３０は、各コイル部３１ａ〜３１ｄがそれぞれのコイル軸線Ｚｂを中心に渦巻状に形成されている。ここで、各コイル部３１ａ〜３１ｄのコイル軸線Ｚｂは、基準線Ｚａに沿った直線である。電力伝送コイル３０は、導線が基準線Ｚａ（コイル軸線Ｚｂ）に直交する直交方向に沿って巻き回され各コイル部３１ａ〜３１ｄが平面状に形成されている。電力伝送コイル３０は、基準線Ｚａの方向から見た場合、各コイル部３１ａ〜３１ｄが矩形状かつ同等サイズに形成されている。電力伝送コイル３０は、コイル部３１ａとコイル部３１ｃとが対向し、かつ、コイル部３１ｂとコイル部３１ｄとが対向している。電力伝送コイル３０は、基準線Ｚａの方向から見た場合、当該電力伝送コイル３０の外周の形状が矩形状である。電力伝送コイル３０は、例えば、各コイル部３１ａ〜３１ｄが１本の導線から形成されている。つまり、電力伝送コイル３０は、１本の導線が巻き回されて４個の渦巻状の各コイル部３１ａ〜３１ｄが形成されている。
【００２１】
電力伝送コイル３０は、各コイル部３１ａ〜３１ｄが基準線Ｚａ周りに設けられている。例えば、電力伝送コイル３０は、基板１０の実装面１１において、基準線Ｚａが通過する通信カプラ２０の周りに各コイル部３１ａ〜３１ｄが設けられている。換言すれば、電力伝送コイル３０は、各コイル部３１ａ〜３１ｄのそれぞれのコイル軸線Ｚｂが基準線Ｚａとずれて位置し、かつ、基準線Ｚａに沿った方向から見た場合に各コイル部３１ａ〜３１ｄが相互に隣り合う。例えば、電力伝送コイル３０は、各コイル部３１ａ〜３１ｄが基準線Ｚａに交差する方向に隣り合う。典型的には、電力伝送コイル３０は、各コイル部３１ａ〜３１ｄが基準線Ｚａに直交する直交方向に隣り合う。
【００２２】
電力伝送コイル３０は、コイル部３１ａがコイル部３１ｂと隣り合い、コイル部３１ｂがコイル部３１ｃと隣り合い、コイル部３１ｃがコイル部３１ｄと隣り合い、コイル部３１ｄがコイル部３１ａと隣り合った状態で実装面１１に実装される。電力伝送コイル３０は、実装面１１側から見た場合、１本の導線が外側から内側に向けて時計回りに巻き回されてコイル部３１ａが形成されており、コイル部３１ａの端部から延在する導線が外側から内側に向けて反時計回りに巻き回されてコイル部３１ｂが形成されており、コイル部３１ｂの端部から延在する導線が外側から内側に向けて時計回りに巻き回されてコイル部３１ｃが形成されており、コイル部３１ｃの端部から延在する導線が外側から内側に向けて反時計回りに巻き回されてコイル部３１ｄが形成されている。
【００２３】
これにより、電力伝送コイル３０は、隣り合うコイル部３１において一方のコイル部３１と他方のコイル部３１とが相互にコイル軸線Ｚｂを中心に逆回りに電流が流れる。電力伝送コイル３０は、例えば、複数のコイル部３１が偶数個設けられる場合、隣り合う全てのコイル部３１の組み合わせにおいて一方のコイル部３１と他方のコイル部３１とが相互にコイル軸線Ｚｂを中心に逆回りに電流が流れる。例えば、電力伝送コイル３０は、図３に示すように、実装面１１側から見た場合、コイル部３１ａに時計回りの電流が流れ、コイル部３１ａと隣り合うコイル部３１ｂに反時計回りの電流が流れ、コイル部３１ｂと隣り合うコイル部３１ｃに時計回りの電流が流れ、コイル部３１ｃと隣り合うコイル部３１ｄに反時計回りの電流が流れる。この結果、電力伝送コイル３０は、隣り合う各コイル部３１において一方のコイル部３１と他方のコイル部３１とが相互に磁界の向きが異なる。例えば、電力伝送コイル３０は、コイル部３１ａに発生する磁界の向きと、当該コイル部３１ａと隣り合うコイル部３１ｂに発生する磁界の向きとが逆向きであり、コイル部３１ｂに発生する磁界の向きと、当該コイル部３１ｂと隣り合うコイル部３１ｃに発生する磁界の向きとが逆向きであり、コイル部３１ｃに発生する磁界の向きと、当該コイル部３１ｃと隣り合うコイル部３１ｄに発生する磁界の向きとが逆向きである。これにより、電力伝送コイル３０は、隣り合うコイル部３１において磁界の向きが相互に逆向きになるので、コイル部３１の並び方向（基準線Ｚａに直角な方向）の放射磁界を抑制できる（相殺できる）。図４は、同じ長さの導線で形成された比較例としての電力伝送コイルであって隣り合うコイル部の磁界の向きが全て同じ電力伝送コイルと、実施形態の電力伝送コイル３０との放射磁界を比較した例である。図４によれば、実施形態の電力伝送コイル３０は、比較例の電力伝送コイルよりも放射磁界が１０ｄＢ程度抑制されていることが分かる。なお、実施形態に係る放射磁界は、電力伝送コイル３０の外周部から３０ｃｍ程度離れた位置で計測された値である。同様に、比較例に係る放射磁界は、比較例の電力伝送コイルの外周部から３０ｃｍ程度離れた位置で計測された値である。
【００２４】
以上のように、実施形態に係る非接触電力伝送ユニット１及び非接触電力伝送システム１００は、基準線Ｚａ上に設けられる通信カプラ２０と、当該基準線Ｚａ周りに設けられる渦巻状の複数のコイル部３１とを備え、隣り合うコイル部３１が相互に逆回りに電流が流れる。これにより、非接触電力伝送ユニット１及び非接触電力伝送システム１００は、隣り合うコイル部３１に流れる電流の向きが逆向きになるので、隣り合うコイル部３１の磁界の向きが逆向きになる。従って、非接触電力伝送ユニット１及び非接触電力伝送システム１００は、各コイル部３１ａ〜３１ｄの並び方向（基準線Ｚａに直角な方向）の放射磁界を抑制できる（相殺できる）。これにより、非接触電力伝送ユニット１及び非接触電力伝送システム１００は、放射磁界が通信カプラ２０や周囲にある他の機器等に影響することを抑制できる。従って、非接触電力伝送ユニット１及び非接触電力伝送システム１００は、通信カプラ２０を複数のコイル部３１の中央に設けることができるのでユニットの大型化を抑制できる。また、非接触電力伝送ユニット１及び非接触電力伝送システム１００は、基準線Ｚａを中心に非接触電力伝送ユニット１を回転させても、通信カプラ２０が電力伝送コイル３０の中央の位置を維持することができるので、相手側の通信カプラ２０との位置合わせが容易になり、接触電力伝送ユニット１の設置性を向上することができる。
【００２５】
また、非接触電力伝送ユニット１において、複数のコイル部３１は、１本の導線が基準線Ｚａに直交する方向に沿って巻き回されて形成されている。これにより、非接触電力伝送ユニット１は、１本の導線に電流を流すことにより各コイル部３１ａ〜３１ｄに電流を流すことができる。
【００２６】
また、非接触電力伝送ユニット１において、複数のコイル部３１は、それぞれが基準線Ｚａに交差する方向に隣り合う。これにより、非接触電力伝送ユニット１は、各コイル部３１ａ〜３１ｄが基準線Ｚａの方向に重ならずに各コイル部３１ａ〜３１ｄを設けることができる。
【００２７】
また、非接触電力伝送ユニット１において、複数のコイル部３１は、それぞれのコイル軸線Ｚｂが基準線Ｚａとずれて位置し、かつ、基準線Ｚａに沿った方向から見た場合にそれぞれが隣り合う。これにより、非接触電力伝送ユニット１は、通信カプラ２０の周りに各コイル部３１ａ〜３１ｄを設けることができるのでユニットの大型化を抑制できる。
【００２８】
また、非接触電力伝送ユニット１において、電力伝送コイル３０は、複数のコイル部３１が偶数個設けられ、隣り合う全てのコイル部３１の組み合わせにおいて一方のコイル部３１と他方のコイル部３１とが相互にコイル軸線Ｚｂを中心に逆回りに電流が流れる。これにより、非接触電力伝送ユニット１は、隣り合う全てのコイル部３１の組み合わせにおいて磁界の方向が逆方向となるので放射磁界を効果的に抑制できる。
【００２９】
〔変形例１〕
次に、実施形態の変形例１について説明する。変形例１に係る非接触電力伝送ユニット１Ａ〜１Ｍは、実施形態に係る電力伝送コイル３０と同じ長さの１本の導線から形成され、各コイル部の形状や個数が異なる。電力伝送コイル３０Ａ〜３０Ｍは、各コイル部がそれぞれのコイル軸線Ｚｂを中心に渦巻状に形成されている。電力伝送コイル３０Ａ〜３０Ｍは、１本の導線が基準線Ｚａ（コイル軸線Ｚｂ）に直交する直交方向に沿って巻き回され平面状に形成されている。電力伝送コイル３０Ａ〜３０Ｍは、各コイル部が基準線Ｚａ周りに設けられている。例えば、電力伝送コイル３０Ａ〜３０Ｍは、通信カプラ２０の周りに基板１０の実装面１１に各コイル部が設けられている。換言すれば、電力伝送コイル３０Ａ〜３０Ｍは、各コイル部のそれぞれのコイル軸線Ｚｂが基準線Ｚａとずれて位置し、かつ、基準線Ｚａに沿った方向から見た場合に各コイル部が相互に隣り合う。電力伝送コイル３０Ａ〜３０Ｍは、各コイル部が基準線Ｚａに交差する方向に隣り合う。典型的には、電力伝送コイル３０Ａ〜３０Ｍは、各コイル部が基準線Ｚａに直交する直交方向に隣り合う。なお、変形例１に係る非接触電力伝送ユニット１Ａ〜１Ｍは、電力伝送コイル３０Ａ〜３０Ｍの形状を模式的に図示し、実施形態と共通する説明は省略する。
【００３０】
例えば、図５に示す非接触電力伝送ユニット１Ａにおいて、電力伝送コイル３０Ａは、１本の導線が巻き回されて２個の渦巻状のコイル部３２ａ、３２ｂが形成されている。電力伝送コイル３０Ａは、各コイル部３２ａ、３２ｂが矩形状かつ同等サイズに形成され、コイル部３２ａとコイル部３２ｂとが対向している。電力伝送コイル３０Ａは、基準線Ｚａの方向から見た場合、当該電力伝送コイル３０Ａの外周の形状が矩形状である。電力伝送コイル３０Ａは、コイル部３２ａとコイル部３２ｂとが隣り合った状態で実装面１１に実装される。電力伝送コイル３０Ａは、実装面１１側から見た場合、１本の導線が時計回りに巻き回されてコイル部３２ａが形成されており、コイル部３２ａの端部から延在する導線が反時計回りに巻き回されてコイル部３２ｂが形成されている。
【００３１】
これにより、電力伝送コイル３０Ａは、実装面１１側から見た場合、コイル部３２ａに時計回りの電流が流れ、コイル部３２ｂに反時計回りの電流が流れる。この結果、電力伝送コイル３０Ａは、コイル部３２ａに発生する磁界の向きとコイル部３２ｂに発生する磁界の向きとが逆向きになる。これにより、電力伝送コイル３０Ａは、隣り合う各コイル部３２ａ、３２ｂにおいて磁界の向きが相互に逆向きになるので、各コイル部３２ａ、３２ｂの並び方向（基準線Ｚａに直角な方向）の放射磁界を抑制できる（相殺できる）。これにより、電力伝送コイル３０Ａは、通信カプラ２０に影響する放射磁界を抑制することができる。
【００３２】
また、図６に示す非接触電力伝送ユニット１Ｂにおいて、電力伝送コイル３０Ｂは、１本の導線が巻き回されて８個の渦巻状のコイル部３３ａ〜３３ｈが形成されている。電力伝送コイル３０Ｂは、各コイル部３３ａ〜３３ｈが矩形状かつ同等サイズである。電力伝送コイル３０Ｂは、基準線Ｚａの方向から見た場合、当該電力伝送コイル３０Ｂの外周の形状が矩形状である。電力伝送コイル３０Ｂは、各コイル部３３ａ〜３３ｈが外周の周方向に沿って、縦と横に３つずつ配置されている。電力伝送コイル３０Ｂは、図６に示すように、コイル部３３ａ〜３３ｈがそれぞれ隣り合うように実装面１１に実装される。電力伝送コイル３０Ｂは、実装面１１側から見た場合、１本の導線が反時計回りに巻き回されてコイル部３３ａが形成されており、コイル部３３ａの端部から延在する導線が時計回りに巻き回されてコイル部３３ｂが形成されており、コイル部３３ｂの端部から延在する導線が反時計回りに巻き回されてコイル部３３ｃが形成されており、コイル部３３ｃの端部から延在する導線が時計回りに巻き回されてコイル部３３ｄが形成されており、コイル部３３ｄの端部から延在する導線が反時計回りに巻き回されてコイル部３３ｅが形成されており、コイル部３３ｅの端部から延在する導線が時計回りに巻き回されてコイル部３３ｆが形成されており、コイル部３３ｆの端部から延在する導線が反時計回りに巻き回されてコイル部３３ｇが形成されており、コイル部３３ｇの端部から延在する導線が時計回りに巻き回されてコイル部３３ｈが形成されている。
【００３３】
これにより、電力伝送コイル３０Ｂは、実装面１１側から見た場合、コイル部３３ａ、３３ｃ、３３ｅ、３３ｇは反時計回りの電流が流れ、コイル部３３ｂ、３３ｄ、３３ｆ、３３ｈは時計回りの電流が流れる。この結果、電力伝送コイル３０Ｂは、コイル部３３ａに発生する磁界の向きとコイル部３３ｂに発生する磁界の向きとが逆向きになり、コイル部３３ｂに発生する磁界の向きとコイル部３３ｃに発生する磁界の向きとが逆向きになり、コイル部３３ｃに発生する磁界の向きとコイル部３３ｄに発生する磁界の向きとが逆向きになり、コイル部３３ｄに発生する磁界の向きとコイル部３３ｅに発生する磁界の向きとが逆向きになり、コイル部３３ｅに発生する磁界の向きとコイル部３３ｆに発生する磁界の向きとが逆向きになり、コイル部３３ｆに発生する磁界の向きとコイル部３３ｇに発生する磁界の向きとが逆向きになり、コイル部３３ｇに発生する磁界の向きとコイル部３３ｈに発生する磁界の向きとが逆向きになり、コイル部３３ｈに発生する磁界の向きとコイル部３３ａに発生する磁界の向きとが逆向きになる。これにより、電力伝送コイル３０Ｂは、隣り合う各コイル部３３ａ〜３３ｈにおいて磁界の向きが相互に逆向きになるので、各コイル部３３ａ〜３３ｈの並び方向の放射磁界を抑制できる。これにより、電力伝送コイル３０Ｂは、通信カプラ２０に影響する放射磁界を抑制することができる。
【００３４】
また、図７に示す非接触電力伝送ユニット１Ｃにおいて、電力伝送コイル３０Ｃは、１本の導線が巻き回されて２個の渦巻状のコイル部３４ａ、３４ｂが形成されている。電力伝送コイル３０Ｃは、各コイル部３４ａ、３４ｂが三角形状かつ同等サイズに形成され、コイル部３４ａとコイル部３４ｂとが対向している。電力伝送コイル３０Ｃは、基準線Ｚａの方向から見た場合、当該電力伝送コイル３０Ｃの外周の形状が矩形状である。電力伝送コイル３０Ｃは、コイル部３４ａとコイル部３４ｂとが隣り合った状態で実装面１１に実装される。電力伝送コイル３０Ｃは、実装面１１側から見た場合、１本の導線が時計回りに巻き回されてコイル部３４ａが形成されており、コイル部３４ａの端部から延在する導線が反時計回りに巻き回されてコイル部３４ｂが形成されている。
【００３５】
これにより、電力伝送コイル３０Ｃは、実装面１１側から見た場合、コイル部３４ａに時計回りの電流が流れ、コイル部３４ｂに反時計回りの電流が流れる。この結果、電力伝送コイル３０Ｃは、コイル部３４ａに発生する磁界の向きとコイル部３４ｂに発生する磁界の向きとが逆向きになる。これにより、電力伝送コイル３０Ｃは、隣り合う各コイル部３４ａ、３４ｂにおいて磁界の向きが相互に逆向きになるので、各コイル部３４ａ、３４ｂの並び方向の放射磁界を抑制できる。これにより、電力伝送コイル３０Ｃは、通信カプラ２０に影響する放射磁界を抑制することができる。
【００３６】
また、図８に示す非接触電力伝送ユニット１Ｄにおいて、電力伝送コイル３０Ｄは、１本の導線が巻き回されて４個の渦巻状のコイル部３５ａ〜３５ｄが形成されている。電力伝送コイル３０Ｄは、各コイル部３５ａ〜３５ｄが台形形状であり、かつ、同等サイズに形成されている。電力伝送コイル３０Ｄは、基準線Ｚａの方向から見た場合、当該電力伝送コイル３０Ｄの外周の形状が矩形状である。電力伝送コイル３０Ｄは、コイル部３５ａとコイル部３５ｃとが対向し、かつ、コイル部３５ｂとコイル部３５ｄとが対向している。電力伝送コイル３０Ｄは、図８に示すように、コイル部３５ａ〜３５ｄがそれぞれ隣り合うように実装面１１に実装される。電力伝送コイル３０Ｄは、実装面１１側から見た場合、１本の導線が時計回りに巻き回されてコイル部３５ａが形成されており、コイル部３５ａの端部から延在する導線が反時計回りに巻き回されてコイル部３５ｂが形成されており、コイル部３５ｂの端部から延在する導線が時計回りに巻き回されてコイル部３５ｃが形成されており、コイル部３５ｃの端部から延在する導線が反時計回りに巻き回されてコイル部３５ｄが形成されている。
【００３７】
これにより、電力伝送コイル３０Ｄは、実装面１１側から見た場合、コイル部３５ａ、３５ｃは時計回りの電流が流れ、コイル部３５ｂ、３５ｄは反時計回りの電流が流れる。この結果、電力伝送コイル３０Ｄは、コイル部３５ａに発生する磁界の向きとコイル部３５ｂに発生する磁界の向きとが逆向きになり、コイル部３５ｂに発生する磁界の向きとコイル部３５ｃに発生する磁界の向きとが逆向きになり、コイル部３５ｃに発生する磁界の向きとコイル部３５ｄに発生する磁界の向きとが逆向きになり、コイル部３５ｄに発生する磁界の向きとコイル部３５ａに発生する磁界の向きとが逆向きになる。これにより、電力伝送コイル３０Ｄは、隣り合う各コイル部３５ａ〜３５ｄにおいて磁界の向きが相互に逆向きになるので、各コイル部３５ａ〜３５ｄの並び方向の放射磁界を抑制できる。これにより、電力伝送コイル３０Ｄは、通信カプラ２０に影響する放射磁界を抑制することができる。
【００３８】
また、図９に示す非接触電力伝送ユニット１Ｅにおいて、電力伝送コイル３０Ｅは、１本の導線が巻き回されて８個の渦巻状のコイル部３６ａ〜３６ｈが形成されている。電力伝送コイル３０Ｅは、各コイル部３６ａ〜３６ｈが台形形状であり、かつ、同等サイズに形成されている。電力伝送コイル３０Ｅは、基準線Ｚａの方向から見た場合、当該電力伝送コイル３０Ｅの外周の形状が矩形状である。電力伝送コイル３０Ｅは、各コイル部３６ａ〜３６ｈが外周の周方向に沿って配置されている。電力伝送コイル３０Ｅは、図９に示すように、コイル部３６ａ〜３６ｈがそれぞれ隣り合うように実装面１１に実装される。電力伝送コイル３０Ｅは、実装面１１側から見た場合、１本の導線が時計回りに巻き回されてコイル部３６ａが形成されており、コイル部３６ａの端部から延在する導線が反時計回りに巻き回されてコイル部３６ｂが形成されており、コイル部３６ｂの端部から延在する導線が時計回りに巻き回されてコイル部３６ｃが形成されており、コイル部３６ｃの端部から延在する導線が反時計回りに巻き回されてコイル部３６ｄが形成されており、コイル部３６ｄの端部から延在する導線が時計回りに巻き回されてコイル部３６ｅが形成されており、コイル部３６ｅの端部から延在する導線が反時計回りに巻き回されてコイル部３６ｆが形成されており、コイル部３６ｆの端部から延在する導線が時計回りに巻き回されてコイル部３６ｇが形成されており、コイル部３６ｇの端部から延在する導線が反時計回りに巻き回されてコイル部３６ｈが形成されている。
【００３９】
これにより、電力伝送コイル３０Ｅは、実装面１１側から見た場合、コイル部３６ａ、３６ｃ、３６ｅ、３６ｇ、は時計回りの電流が流れ、コイル部３６ｂ、３６ｄ、３６ｆ、３６ｈは反時計回りの電流が流れる。この結果、電力伝送コイル３０Ｅは、コイル部３６ａに発生する磁界の向きとコイル部３６ｂに発生する磁界の向きとが逆向きになり、コイル部３６ｂに発生する磁界の向きとコイル部３６ｃに発生する磁界の向きとが逆向きになり、コイル部３６ｃに発生する磁界の向きとコイル部３６ｄに発生する磁界の向きとが逆向きになり、コイル部３６ｄに発生する磁界の向きとコイル部３６ｅに発生する磁界の向きとが逆向きになり、コイル部３６ｅに発生する磁界の向きとコイル部３６ｆに発生する磁界の向きとが逆向きになり、コイル部３６ｆに発生する磁界の向きとコイル部３６ｇに発生する磁界の向きとが逆向きになり、コイル部３６ｇに発生する磁界の向きとコイル部３６ｈに発生する磁界の向きとが逆向きになり、コイル部３６ｈに発生する磁界の向きとコイル部３６ａに発生する磁界の向きとが逆向きになる。これにより、電力伝送コイル３０Ｅは、隣り合う各コイル部３６ａ〜３６ｈにおいて磁界の向きが相互に逆向きになるので、各コイル部３６ａ〜３６ｈの並び方向の放射磁界を抑制できる。これにより、電力伝送コイル３０Ｅは、通信カプラ２０に影響する放射磁界を抑制することができる。
【００４０】
また、図１０に示す非接触電力伝送ユニット１Ｆにおいて、電力伝送コイル３０Ｆは、１本の導線が巻き回されて４個の渦巻状のコイル部３７ａ〜３７ｄが形成されている。電力伝送コイル３０Ｆは、各コイル部３７ａ〜３７ｄが矩形状であり、かつ、異なるサイズを含んで形成されている。電力伝送コイル３０Ｆは、同形状のコイル部３７ａとコイル部３７ｃとが対向し、同形状のコイル部３７ｂとコイル部３７ｄとが対向している。電力伝送コイル３０Ｆは、基準線Ｚａの方向から見た場合、当該電力伝送コイル３０Ｆの外周の形状が矩形状である。電力伝送コイル３０Ｆは、図１０に示すように、コイル部３７ａ〜３７ｄがそれぞれ隣り合うように実装面１１に実装される。電力伝送コイル３０Ｆは、実装面１１側から見た場合、１本の導線が時計回りに巻き回されてコイル部３７ａが形成されており、コイル部３７ａの端部から延在する導線が反時計回りに巻き回されてコイル部３７ｂが形成されており、コイル部３７ｂの端部から延在する導線が時計回りに巻き回されてコイル部３７ｃが形成されており、コイル部３７ｃの端部から延在する導線が反時計回りに巻き回されてコイル部３７ｄが形成されている。
【００４１】
これにより、電力伝送コイル３０Ｆは、実装面１１側から見た場合、コイル部３７ａ、３７ｃは時計回りの電流が流れ、コイル部３７ｂ、３７ｄは反時計回りの電流が流れる。この結果、電力伝送コイル３０Ｆは、コイル部３７ａに発生する磁界の向きとコイル部３７ｂに発生する磁界の向きとが逆向きになり、コイル部３７ｂに発生する磁界の向きとコイル部３７ｃに発生する磁界の向きとが逆向きになり、コイル部３７ｃに発生する磁界の向きとコイル部３７ｄに発生する磁界の向きとが逆向きになり、コイル部３７ｄに発生する磁界の向きとコイル部３７ａに発生する磁界の向きとが逆向きになる。これにより、電力伝送コイル３０Ｆは、隣り合う各コイル部３７ａ〜３７ｄにおいて磁界の向きが相互に逆向きになるので、各コイル部３７ａ〜３７ｄの並び方向の放射磁界を抑制できる。これにより、電力伝送コイル３０Ｆは、通信カプラ２０に影響する放射磁界を抑制することができる。
【００４２】
また、図１１に示す非接触電力伝送ユニット１Ｇにおいて、電力伝送コイル３０Ｇは、１本の導線が巻き回されて１２個の渦巻状のコイル部３８ａ〜３８ｍが形成されている。電力伝送コイル３０Ｇは、各コイル部３８ａ〜３８ｍが矩形状又は三角形状であり、かつ、同じ形状において同等サイズに形成されている。電力伝送コイル３０Ｇは、基準線Ｚａの方向から見た場合、当該電力伝送コイル３０Ｇの外周の形状が矩形状である。電力伝送コイル３０Ｇは、各コイル部３８ａ〜３８ｍが外周の周方向に沿って配置されている。例えば、電力伝送コイル３０Ｇは、図１１に示すように、コイル部３８ａ〜３８ｍがそれぞれ隣り合うように実装面１１に実装される。電力伝送コイル３０Ｇは、実装面１１側から見た場合、１本の導線が反時計回りに巻き回されてコイル部３８ａが形成されており、コイル部３８ａの端部から延在する導線が時計回りに巻き回されてコイル部３８ｂが形成されており、コイル部３８ｂの端部から延在する導線が反時計回りに巻き回されてコイル部３８ｃが形成されており、コイル部３８ｃの端部から延在する導線が時計回りに巻き回されてコイル部３８ｄが形成されており、コイル部３８ｄの端部から延在する導線が反時計回りに巻き回されてコイル部３８ｅが形成されており、コイル部３８ｅの端部から延在する導線が時計回りに巻き回されてコイル部３８ｆが形成されており、コイル部３８ｆの端部から延在する導線が反時計回りに巻き回されてコイル部３８ｇが形成されており、コイル部３８ｇの端部から延在する導線が時計回りに巻き回されてコイル部３８ｈが形成されており、コイル部３８ｈの端部から延在する導線が反時計回りに巻き回されてコイル部３８ｉが形成されており、コイル部３８ｉの端部から延在する導線が時計回りに巻き回されてコイル部３８ｊが形成されており、コイル部３８ｊの端部から延在する導線が反時計回りに巻き回されてコイル部３８ｋが形成されており、コイル部３８ｋの端部から延在する導線が時計回りに巻き回されてコイル部３８ｍが形成されている。
【００４３】
これにより、電力伝送コイル３０Ｇは、実装面１１側から見た場合、コイル部３８ａ、３８ｃ、３８ｅ、３８ｇ、３８ｉ、３８ｋは反時計回りの電流が流れ、コイル部３８ｂ、３８ｄ、３８ｆ、３８ｈ、３８ｊ、３８ｍは時計回りの電流が流れる。
【００４４】
この結果、電力伝送コイル３０Ｇは、コイル部３８ａに発生する磁界の向きとコイル部３８ｂに発生する磁界の向きとが逆向きになり、コイル部３８ｂに発生する磁界の向きとコイル部３８ｃに発生する磁界の向きとが逆向きになり、コイル部３８ｃに発生する磁界の向きとコイル部３８ｄに発生する磁界の向きとが逆向きになり、コイル部３８ｄに発生する磁界の向きとコイル部３８ｅに発生する磁界の向きとが逆向きになり、コイル部３８ｅに発生する磁界の向きとコイル部３８ｆに発生する磁界の向きとが逆向きになり、コイル部３８ｆに発生する磁界の向きとコイル部３８ｇに発生する磁界の向きとが逆向きになり、コイル部３８ｇに発生する磁界の向きとコイル部３８ｈに発生する磁界の向きとが逆向きになり、コイル部３８ｈに発生する磁界の向きとコイル部３８ｉに発生する磁界の向きとが逆向きになり、コイル部３８ｉに発生する磁界の向きとコイル部３８ｊに発生する磁界の向きとが逆向きになり、コイル部３８ｊに発生する磁界の向きとコイル部３８ｋに発生する磁界の向きとが逆向きになり、コイル部３８ｋに発生する磁界の向きとコイル部３８ｍに発生する磁界の向きとが逆向きになり、コイル部３８ｍに発生する磁界の向きとコイル部３８ａに発生する磁界の向きとが逆向きになる。これにより、電力伝送コイル３０Ｇは、隣り合う各コイル部３８ａ〜３８ｍにおいて磁界の向きが相互に逆向きになるので、各コイル部３８ａ〜３８ｍの並び方向の放射磁界を抑制できる。これにより、電力伝送コイル３０Ｇは、通信カプラ２０に影響する放射磁界を抑制することができる。
【００４５】
また、図１２に示す非接触電力伝送ユニット１Ｈにおいて、電力伝送コイル３０Ｈは、１本の導線が巻き回されて８個の渦巻状のコイル部３９ａ〜３９ｈが形成されている。電力伝送コイル３０Ｈは、各コイル部３９ａ〜３９ｈが三角形状又は台形形状であり、かつ、同じ形状において同等サイズに形成されている。電力伝送コイル３０Ｈは、基準線Ｚａの方向から見た場合、当該電力伝送コイル３０Ｈの外周の形状が矩形状である。電力伝送コイル３０Ｈは、各コイル部３９ａ〜３９ｈが外周の周方向に沿って三角形状のコイル部３９ａ等と台形形状のコイル部３９ｂ等とが交互に配置されている。例えば、電力伝送コイル３０Ｈは、図１２に示すように、コイル部３９ａ〜３９ｈがそれぞれ隣り合うように実装面１１に実装される。電力伝送コイル３０Ｈは、実装面１１側から見た場合、１本の導線が反時計回りに巻き回されてコイル部３９ａが形成されており、コイル部３９ａの端部から延在する導線が時計回りに巻き回されてコイル部３９ｂが形成されており、コイル部３９ｂの端部から延在する導線が反時計回りに巻き回されてコイル部３９ｃが形成されており、コイル部３９ｃの端部から延在する導線が時計回りに巻き回されてコイル部３９ｄが形成されており、コイル部３９ｄの端部から延在する導線が反時計回りに巻き回されてコイル部３９ｅが形成されており、コイル部３９ｅの端部から延在する導線が時計回りに巻き回されてコイル部３９ｆが形成されており、コイル部３９ｆの端部から延在する導線が反時計回りに巻き回されてコイル部３９ｇが形成されており、コイル部３９ｇの端部から延在する導線が時計回りに巻き回されてコイル部３９ｈが形成されている。
【００４６】
これにより、電力伝送コイル３０Ｈは、実装面１１側から見た場合、コイル部３９ａ、３９ｃ、３９ｅ、３９ｇは反時計回りの電流が流れ、コイル部３９ｂ、３９ｄ、３９ｆ、３９ｈは時計回りの電流が流れる。この結果、電力伝送コイル３０Ｈは、コイル部３９ａに発生する磁界の向きとコイル部３９ｂに発生する磁界の向きとが逆向きになり、コイル部３９ｂに発生する磁界の向きとコイル部３９ｃに発生する磁界の向きとが逆向きになり、コイル部３９ｃに発生する磁界の向きとコイル部３９ｄに発生する磁界の向きとが逆向きになり、コイル部３９ｄに発生する磁界の向きとコイル部３９ｅに発生する磁界の向きとが逆向きになり、コイル部３９ｅに発生する磁界の向きとコイル部３９ｆに発生する磁界の向きとが逆向きになり、コイル部３９ｆに発生する磁界の向きとコイル部３９ｇに発生する磁界の向きとが逆向きになり、コイル部３９ｇに発生する磁界の向きとコイル部３９ｈに発生する磁界の向きとが逆向きになり、コイル部３９ｈに発生する磁界の向きとコイル部３９ａに発生する磁界の向きとが逆向きになる。これにより、電力伝送コイル３０Ｈは、隣り合う各コイル部３９ａ〜３９ｈにおいて磁界の向きが相互に逆向きになるので、各コイル部３９ａ〜３９ｈの並び方向の放射磁界を抑制できる。これにより、電力伝送コイル３０Ｈは、通信カプラ２０に影響する放射磁界を抑制することができる。
【００４７】
また、図１３に示す非接触電力伝送ユニット１Ｉにおいて、電力伝送コイル３０Ｉは、１本の導線が巻き回されて２個の渦巻状のコイル部３１０ａ、３１０ｂが形成されている。電力伝送コイル３０Ｉは、各コイル部３１０ａ、３１０ｂが半円状かつ同等サイズに形成され、コイル部３１０ａとコイル部３１０ｂとが対向している。電力伝送コイル３０Ｉは、基準線Ｚａの方向から見た場合、当該電力伝送コイル３０Ｉの外周の形状が円形状である。電力伝送コイル３０Ｉは、コイル部３１０ａとコイル部３１０ｂとが隣り合った状態で実装面１１に実装される。電力伝送コイル３０Ｉは、実装面１１側から見た場合、１本の導線が反時計回りに巻き回されてコイル部３１０ａが形成されており、コイル部３１０ａの端部から延在する導線が時計回りに巻き回されてコイル部３１０ｂが形成されている。
【００４８】
これにより、電力伝送コイル３０Ｉは、実装面１１側から見た場合、コイル部３１０ａに反時計回りの電流が流れ、コイル部３１０ｂに時計回りの電流が流れる。この結果、電力伝送コイル３０Ｉは、コイル部３１０ａに発生する磁界の向きとコイル部３１０ｂに発生する磁界の向きとが逆向きになる。これにより、電力伝送コイル３０Ｉは、隣り合う各コイル部３１０ａ、３１０ｂにおいて磁界の向きが相互に逆向きになるので、各コイル部３１０ａ、３１０ｂの並び方向の放射磁界を抑制できる。これにより、電力伝送コイル３０Ｉは、通信カプラ２０に影響する放射磁界を抑制することができる。
【００４９】
また、図１４に示す非接触電力伝送ユニット１Ｊにおいて、電力伝送コイル３０Ｊは、１本の導線が巻き回されて４個の渦巻状のコイル部３２０ａ〜３２０ｄが形成されている。電力伝送コイル３０Ｊは、各コイル部３２０ａ〜３２０ｄが扇形状かつ同等サイズに形成され、コイル部３２０ａとコイル部３２０ｃとが対向し、かつ、コイル部３２０ｂとコイル部３２０ｄとが対向している。電力伝送コイル３０Ｊは、基準線Ｚａの方向から見た場合、当該電力伝送コイル３０Ｊの外周の形状が円形状である。電力伝送コイル３０Ｊは、図１４に示すように、コイル部３２０ａ〜３２０ｄがそれぞれ隣り合うように実装面１１に実装される。電力伝送コイル３０Ｊは、実装面１１側から見た場合、１本の導線が時計回りに巻き回されてコイル部３２０ａが形成されており、コイル部３２０ａの端部から延在する導線が反時計回りに巻き回されてコイル部３２０ｂが形成されており、コイル部３２０ｂの端部から延在する導線が時計回りに巻き回されてコイル部３２０ｃが形成されており、コイル部３２０ｃの端部から延在する導線が反時計回りに巻き回されてコイル部３２０ｄが形成されている。
【００５０】
これにより、電力伝送コイル３０Ｊは、実装面１１側から見た場合、コイル部３２０ａ、３２０ｃは時計回りの電流が流れ、コイル部３２０ｂ、３２０ｄは反時計回りの電流が流れる。この結果、電力伝送コイル３０Ｊは、コイル部３２０ａに発生する磁界の向きとコイル部３２０ｂに発生する磁界の向きとが逆向きになり、コイル部３２０ｂに発生する磁界の向きとコイル部３２０ｃに発生する磁界の向きとが逆向きになり、コイル部３２０ｃに発生する磁界の向きとコイル部３２０ｄに発生する磁界の向きとが逆向きになり、コイル部３２０ｄに発生する磁界の向きとコイル部３２０ａに発生する磁界の向きとが逆向きになる。これにより、電力伝送コイル３０Ｊは、隣り合う各コイル部３２０ａ〜３２０ｄにおいて磁界の向きが相互に逆向きになるので、各コイル部３２０ａ〜３２０ｄの並び方向の放射磁界を抑制できる。これにより、電力伝送コイル３０Ｊは、通信カプラ２０に影響する放射磁界を抑制することができる。
【００５１】
また、図１５に示す非接触電力伝送ユニット１Ｋにおいて、電力伝送コイル３０Ｋは、１本の導線が巻き回されて８個の渦巻状のコイル部３３０ａ〜３３０ｈが形成されている。電力伝送コイル３０Ｋは、各コイル部３３０ａ〜３３０ｈが扇形状かつ同等サイズに形成されている。電力伝送コイル３０Ｋは、基準線Ｚａの方向から見た場合、当該電力伝送コイル３０Ｋの外周の形状が円形状である。電力伝送コイル３０Ｋは、各コイル部３３０ａ〜３３０ｈが外周の周方向に沿って配置されている。電力伝送コイル３０Ｋは、図１５に示すように、コイル部３３０ａ〜３３０ｈがそれぞれ隣り合うように実装面１１に実装される。電力伝送コイル３０Ｋは、実装面１１側から見た場合、１本の導線が反時計回りに巻き回されてコイル部３３０ａが形成されており、コイル部３３０ａの端部から延在する導線が時計回りに巻き回されてコイル部３３０ｂが形成されており、コイル部３３０ｂの端部から延在する導線が反時計回りに巻き回されてコイル部３３０ｃが形成されており、コイル部３３０ｃの端部から延在する導線が時計回りに巻き回されてコイル部３３０ｄが形成されており、コイル部３３０ｄの端部から延在する導線が反時計回りに巻き回されてコイル部３３０ｅが形成されており、コイル部３３０ｅの端部から延在する導線が時計回りに巻き回されてコイル部３３０ｆが形成されており、コイル部３３０ｆの端部から延在する導線が反時計回りに巻き回されてコイル部３３０ｇが形成されており、コイル部３３０ｇの端部から延在する導線が時計回りに巻き回されてコイル部３３０ｈが形成されている。
【００５２】
これにより、電力伝送コイル３０Ｋは、実装面１１側から見た場合、コイル部３３０ａ、３３０ｃ、３３０ｅ、３３０ｇは反時計回りの電流が流れ、コイル部３３０ｂ、３３０ｄ、３３０ｆ、３３０ｈは時計回りの電流が流れる。この結果、電力伝送コイル３０Ｋは、コイル部３３０ａに発生する磁界の向きとコイル部３３０ｂに発生する磁界の向きとが逆向きになり、コイル部３３０ｂに発生する磁界の向きとコイル部３３０ｃに発生する磁界の向きとが逆向きになり、コイル部３３０ｃに発生する磁界の向きとコイル部３３０ｄに発生する磁界の向きとが逆向きになり、コイル部３３０ｄに発生する磁界の向きとコイル部３３０ｅに発生する磁界の向きとが逆向きになり、コイル部３３０ｅに発生する磁界の向きとコイル部３３０ｆに発生する磁界の向きとが逆向きになり、コイル部３３０ｆに発生する磁界の向きとコイル部３３０ｇに発生する磁界の向きとが逆向きになり、コイル部３３０ｇに発生する磁界の向きとコイル部３３０ｈに発生する磁界の向きとが逆向きになり、コイル部３３０ｈに発生する磁界の向きとコイル部３３０ａに発生する磁界の向きとが逆向きになる。これにより、電力伝送コイル３０Ｋは、隣り合う各コイル部３３０ａ〜３３０ｈにおいて磁界の向きが相互に逆向きになるので、各コイル部３３０ａ〜３３０ｈの並び方向の放射磁界を抑制できる。これにより、電力伝送コイル３０Ｋは、通信カプラ２０に影響する放射磁界を抑制することができる。
【００５３】
また、図１６に示す非接触電力伝送ユニット１Ｌにおいて、電力伝送コイル３０Ｌは、１本の導線が巻き回されて３個の渦巻状のコイル部３４０ａ〜３４０ｃが形成されている。電力伝送コイル３０Ｌは、各コイル部３４０ａ〜３４０ｃがひし形状かつ同等サイズに形成されている。電力伝送コイル３０Ｌは、基準線Ｚａの方向から見た場合、当該電力伝送コイル３０Ｌの外周の形状が多角形、例えば正六角形状である。電力伝送コイル３０Ｌは、外周の形状が正六角形状になるように各コイル部３４０ａ〜３４０ｃが配置される。電力伝送コイル３０Ｌは、図１６に示すように、コイル部３４０ａ〜３４０ｃがそれぞれ隣り合うように実装面１１に実装される。電力伝送コイル３０Ｌは、実装面１１側から見た場合、１本の導線が反時計回りに巻き回されてコイル部３４０ａが形成されており、コイル部３４０ａの端部から延在する導線が時計回りに巻き回されてコイル部３４０ｂが形成されており、コイル部３４０ｂの端部から延在する導線が時計回りに巻き回されてコイル部３４０ｃが形成されている。
【００５４】
これにより、電力伝送コイル３０Ｌは、実装面１１側から見た場合、コイル部３４０ａは反時計回りの電流が流れ、コイル部３４０ｂ、３４０ｃは時計回りの電流が流れる。この結果、電力伝送コイル３０Ｌは、コイル部３４０ａに発生する磁界の向きとコイル部３４０ｂに発生する磁界の向きとが逆向きになり、コイル部３４０ｂに発生する磁界の向きとコイル部３４０ｃに発生する磁界の向きとが同じ向きになり、コイル部３４０ｃに発生する磁界の向きとコイル部３４０ａに発生する磁界の向きとが逆向きになる。これにより、電力伝送コイル３０Ｌは、隣り合うコイル部３４０ａとコイル部３４０ｂ、コイル部３４０ａとコイル部３４０ｃにおいて磁界の向きが相互に逆向きになるので、各コイル部３４０ａ〜３４０ｃの並び方向の放射磁界を抑制できる。これにより、電力伝送コイル３０Ｌは、通信カプラ２０に影響する放射磁界を抑制することができる。
【００５５】
また、図１７に示す非接触電力伝送ユニット１Ｍにおいて、電力伝送コイル３０Ｍは、１本の導線が巻き回されて６個の渦巻状のコイル部３５０ａ〜３５０ｆが形成されている。電力伝送コイル３０Ｍは、各コイル部３５０ａ〜３５０ｆが三角形状かつ同等サイズに形成される。電力伝送コイル３０Ｍは、基準線Ｚａの方向から見た場合、当該電力伝送コイル３０Ｍの外周の形状が多角形、例えば正六角形状である。電力伝送コイル３０Ｍは、各コイル部３５０ａ〜３５０ｆが外周の周方向に沿って配置されている。電力伝送コイル３０Ｍは、図１７に示すように、コイル部３５０ａ〜３５０ｆがそれぞれ隣り合うように実装面１１に実装される。電力伝送コイル３０Ｍは、実装面１１側から見た場合、１本の導線が反時計回りに巻き回されてコイル部３５０ａが形成されており、コイル部３５０ａの端部から延在する導線が時計回りに巻き回されてコイル部３５０ｂが形成されており、コイル部３５０ｂの端部から延在する導線が反時計回りに巻き回されてコイル部３５０ｃが形成されており、コイル部３５０ｃの端部から延在する導線が時計回りに巻き回されてコイル部３５０ｄが形成されており、コイル部３５０ｄの端部から延在する導線が反時計回りに巻き回されてコイル部３５０ｅが形成されており、コイル部３５０ｅの端部から延在する導線が時計回りに巻き回されてコイル部３５０ｆが形成されている。
【００５６】
これにより、電力伝送コイル３０Ｍは、実装面１１側から見た場合、コイル部３５０ａ、３５０ｃ、３５０ｅは反時計回りの電流が流れ、コイル部３５０ｂ、３５０ｄ、３５０ｆは時計回りの電流が流れる。この結果、電力伝送コイル３０Ｍは、コイル部３５０ａに発生する磁界の向きとコイル部３５０ｂに発生する磁界の向きとが逆向きになり、コイル部３５０ｂに発生する磁界の向きとコイル部３５０ｃに発生する磁界の向きとが逆向きになり、コイル部３５０ｃに発生する磁界の向きとコイル部３５０ｄに発生する磁界の向きとが逆向きになり、コイル部３５０ｄに発生する磁界の向きとコイル部３５０ｅに発生する磁界の向きとが逆向きになり、コイル部３５０ｅに発生する磁界の向きとコイル部３５０ｆに発生する磁界の向きとが逆向きになり、コイル部３５０ｆに発生する磁界の向きとコイル部３５０ａに発生する磁界の向きとが逆向きになる。これにより、電力伝送コイル３０Ｍは、隣り合う各コイル部３５０ａ〜３５０ｆにおいて磁界の向きが相互に逆向きになるので、各コイル部３５０ａ〜３５０ｆの並び方向の放射磁界を抑制できる。これにより、電力伝送コイル３０Ｍは、通信カプラ２０に影響する放射磁界を抑制することができる。
【００５７】
〔変形例２〕
次に、実施形態の変形例２について説明する。変形例２に係る非接触電力伝送ユニット１Ｎ、１Ｐは、実施形態に係る電力伝送コイル３０と同じ長さの１本の導線から形成され、各コイル部の形状や個数が異なる。電力伝送コイル３０Ｎ、３０Ｐは、各コイル部がそれぞれのコイル軸線Ｚｂを中心に渦巻状に形成されている。電力伝送コイル３０Ｎ、３０Ｐは、１本の導線が基準線Ｚａ（コイル軸線Ｚｂ）に直交する直交方向に沿って巻き回され平面状に形成されている。電力伝送コイル３０Ｎ、３０Ｐは、各コイル部が基準線Ｚａ周りに設けられている。例えば、電力伝送コイル３０Ｎ、３０Ｐは、基準線Ｚａが通過する通信カプラ２０の周りに実装面１１に各コイル部が設けられている。換言すれば、電力伝送コイル３０Ｎ、３０Ｐにおいて、複数のコイル部は、それぞれが異なる大きさで環状に形成されており、それぞれのコイル軸線Ｚｂが基準線Ｚａと同軸上に位置する。複数のコイル部は、基準線Ｚａに沿った方向から見た場合に、隣り合うコイル部において一方のコイル部が内側に位置し他方のコイル部が外側に位置する。電力伝送コイル３０Ｎ、３０Ｐは、各コイル部が基準線Ｚａに交差する方向に隣り合う。典型的には、電力伝送コイル３０Ｎ、３０Ｐは、各コイル部が基準線Ｚａに直交する直交方向に隣り合う。なお、変形例２に係る非接触電力伝送ユニット１Ｎ、１Ｐは、電力伝送コイル３０Ｎ、３０Ｐの形状を模式的に図示し、実施形態と共通する説明は省略する。
【００５８】
例えば、図１８に示す非接触電力伝送ユニット１Ｎにおいて、電力伝送コイル３０Ｎは、１本の導線が巻き回されて２個の渦巻状のコイル部３６０ａ、３６０ｂが形成されている。電力伝送コイル３０Ｎは、コイル部３６０ａ、３６０ｂのそれぞれのコイル軸線Ｚｂが基準線Ｚａと同軸上に位置する。電力伝送コイル３０Ｎは、各コイル部３６０ａ、３６０ｂが矩形の環状に形成され、かつ、異なるサイズに形成されている。例えば、電力伝送コイル３０Ｎは、コイル部３６０ａがコイル部３６０ｂより小さく形成されており、コイル部３６０ａがコイル部３６０ｂの内側に位置する。電力伝送コイル３０Ｎは、コイル部３６０ａの内側には通信カプラ２０が位置する。電力伝送コイル３０Ｎは、基準線Ｚａの方向から見た場合、当該電力伝送コイル３０Ｎの外周の形状が矩形状である。電力伝送コイル３０Ｎは、コイル部３６０ａとコイル部３６０ｂとが内側と外側とで隣り合った状態で実装面１１に実装される。電力伝送コイル３０Ｎは、実装面１１側から見た場合、１本の導線が時計回りに巻き回されてコイル部３６０ａが形成されており、コイル部３６０ａの端部から延在する導線が反時計回りに巻き回されてコイル部３６０ｂが形成されている。
【００５９】
これにより、電力伝送コイル３０Ｎは、実装面１１側から見た場合、コイル部３６０ａに時計回りの電流が流れ、コイル部３６０ｂに反時計回りの電流が流れる。この結果、電力伝送コイル３０Ｎは、コイル部３６０ａに発生する磁界の向きとコイル部３６０ｂに発生する磁界の向きとが逆向きになる。これにより、電力伝送コイル３０Ｎは、隣り合う各コイル部３６０ａ、３６０ｂにおいて磁界の向きが相互に逆向きになるので、各コイル部３６０ａ、３６０ｂの並び方向の放射磁界を抑制できる。これにより、電力伝送コイル３０Ｎは、通信カプラ２０に影響する放射磁界を抑制することができる。
【００６０】
また、図１９に示す非接触電力伝送ユニット１Ｐにおいて、電力伝送コイル３０Ｐは、１本の導線が巻き回されて４個の渦巻状のコイル部３７０ａ〜３７０ｄが形成されている。電力伝送コイル３０Ｐは、コイル部３７０ａ〜３７０ｄのそれぞれのコイル軸線Ｚｂが基準線Ｚａと同軸上に位置する。電力伝送コイル３０Ｐは、各コイル部３７０ａ〜３７０ｄが矩形の環状に形成され、かつ、異なるサイズに形成されている。例えば、電力伝送コイル３０Ｐは、コイル部３７０ａがコイル部３７０ｂより小さく形成されており、コイル部３７０ｂがコイル部３７０ｃより小さく形成されており、コイル部３７０ｃがコイル部３７０ｄより小さく形成されている。そして、電力伝送コイル３０Ｐは、コイル部３７０ａがコイル部３７０ｂの内側に位置し、コイル部３７０ｂがコイル部３７０ｃの内側に位置し、コイル部３７０ｃがコイル部３７０ｄの内側に位置する。電力伝送コイル３０Ｐは、コイル部３７０ａの内側に通信カプラ２０が位置する。電力伝送コイル３０Ｐは、基準線Ｚａの方向から見た場合、当該電力伝送コイル３０Ｐの外周の形状が矩形状である。電力伝送コイル３０Ｐは、図１９に示すように、コイル部３７０ａ〜３７０ｄがそれぞれ内側と外側とで隣り合うように実装面１１に実装される。電力伝送コイル３０Ｐは、実装面１１側から見た場合、１本の導線が時計回りに巻き回されてコイル部３７０ａが形成されており、コイル部３７０ａの端部から延在する導線が反時計回りに巻き回されてコイル部３７０ｂが形成されており、コイル部３７０ｂの端部から延在する導線が時計回りに巻き回されてコイル部３７０ｃが形成されており、コイル部３７０ｃの端部から延在する導線が反時計回りに巻き回されてコイル部３７０ｄが形成されている。
【００６１】
これにより、電力伝送コイル３０Ｐは、実装面１１側から見た場合、コイル部３７０ａ、３７０ｃは時計回りの電流が流れ、コイル部３７０ｂ、３７０ｄは反時計回りの電流が流れる。この結果、電力伝送コイル３０Ｐは、コイル部３７０ａに発生する磁界の向きとコイル部３７０ｂに発生する磁界の向きとが逆向きになり、コイル部３７０ｂに発生する磁界の向きとコイル部３７０ｃに発生する磁界の向きとが逆向きになり、コイル部３７０ｃに発生する磁界の向きとコイル部３７０ｄに発生する磁界の向きとが逆向きになる。これにより、電力伝送コイル３０Ｐは、隣り合う各コイル部３７０ａ〜３７０ｄにおいて磁界の向きが相互に逆向きになるので、各コイル部３７０ａ〜３７０ｄの並び方向の放射磁界を抑制できる。これにより、電力伝送コイル３０Ｐは、通信カプラ２０に影響する放射磁界を抑制することができる。
【００６２】
〔変形例３〕
次に、実施形態の変形例３について説明する。変形例３に係る非接触電力伝送ユニット１Ｑ、１Ｒは、実施形態に係る電力伝送コイル３０と同じ長さの１本の導線から形成され、各コイル部の形状や個数が異なる。そして、変形例３に係る非接触電力伝送ユニット１Ｑ、１Ｒは、コイル軸線Ｚｂが基準線Ｚａと同軸上に位置するコイル部と、コイル軸線Ｚｂが基準線Ｚａと異なる軸上に位置するコイル部との両方を含む。なお、変形例３に係る非接触電力伝送ユニット１Ｑ、１Ｒは、電力伝送コイル３０Ｑ、３０Ｒの形状を模式的に図示し、実施形態と共通する説明は省略する。
【００６３】
例えば、図２０に示す非接触電力伝送ユニット１Ｑにおいて、電力伝送コイル３０Ｑは、１本の導線が巻き回されて５個の渦巻状のコイル部３８０ａ〜３８０ｅが形成されている。電力伝送コイル３０Ｑは、コイル部３８０ａのコイル軸線Ｚｂが基準線Ｚａと同軸上に位置し、コイル部３８０ｂ〜３８０ｅのコイル軸線Ｚｂが基準線Ｚａと異なる軸上に位置する。電力伝送コイル３０Ｑは、コイル部３８０ａが矩形の環状に形成され、各コイル部３８０ｂ〜３８０ｅが矩形状に形成されている。電力伝送コイル３０Ｑは、基準線Ｚａの方向から見た場合、当該電力伝送コイル３０Ｑの外周の形状が矩形状である。電力伝送コイル３０Ｑは、コイル部３８０ａを挟んでコイル部３８０ｂとコイル部３８０ｄとが対向し、コイル部３８０ａを挟んでコイル部３８０ｃとコイル部３８０ｅとが対向している。電力伝送コイル３０Ｑは、図２０に示すように、コイル部３８０ａとコイル部３８０ｂ〜３８０ｅとが隣り合うように実装面１１に実装される。さらに、電力伝送コイル３０Ｑは、コイル部３８０ｂ〜３７０ｅがそれぞれ隣り合うように実装面１１に実装される。電力伝送コイル３０Ｑは、実装面１１側から見た場合、１本の導線が時計回りに巻き回されてコイル部３８０ａが形成されており、コイル部３８０ａの端部から延在する導線が反時計回りに巻き回されてコイル部３８０ｂが形成されており、コイル部３８０ｂの端部から延在する導線が反時計回りに巻き回されてコイル部３８０ｃが形成されており、コイル部３８０ｃの端部から延在する導線が反時計回りに巻き回されてコイル部３８０ｄが形成されており、コイル部３８０ｄの端部から延在する導線が反時計回りに巻き回されてコイル部３８０ｅが形成されている。
【００６４】
これにより、電力伝送コイル３０Ｑは、実装面１１側から見た場合、コイル部３８０ａに時計回りの電流が流れ、各コイル部３８０ｂ〜３８０ｅに反時計回りの電流が流れる。この結果、電力伝送コイル３０Ｑは、コイル部３８０ａに発生する磁界の向きと各コイル部３８０ｂ〜３８０ｅに発生する磁界の向きとが逆向きになる。これにより、電力伝送コイル３０Ｑは、隣り合うコイル部３８０ａと各コイル部３８０ｂ〜３８０ｅとにおいて磁界の向きが相互に逆向きになるので、コイル部３８０ａと各コイル部３８０ｂ〜３８０ｅの並び方向の放射磁界を抑制できる。これにより、電力伝送コイル３０Ｑは、通信カプラ２０に影響する放射磁界を抑制することができる。
【００６５】
また、図２１に示す非接触電力伝送ユニット１Ｒにおいて、電力伝送コイル３０Ｒは、１本の導線が巻き回されて１３個の渦巻状のコイル部３９０ａ〜３９０ｎが形成されている。電力伝送コイル３０Ｒは、コイル部３９０ａのコイル軸線Ｚｂが基準線Ｚａと同軸上に位置し、コイル部３９０ｂ〜３９０ｎのコイル軸線Ｚｂが基準線Ｚａと異なる軸上に位置する。電力伝送コイル３０Ｒは、コイル部３９０ａが矩形の環状に形成され、各コイル部３９０ｂ〜３９０ｎが矩形状に形成されている。電力伝送コイル３０Ｒは、基準線Ｚａの方向から見た場合、当該電力伝送コイル３０Ｒの外周の形状が矩形状である。電力伝送コイル３０Ｒは、環状のコイル部３９０ａが中央に配置され、環状のコイル部３９０ａの周囲に各コイル部３９０ｂ〜３９０ｎが配置されている。電力伝送コイル３０Ｒは、図２１に示すようにコイル部３９０ａとコイル部３９０ｂ〜３９０ｎとが隣り合うように実装面１１に実装される。さらに、電力伝送コイル３０Ｒは、コイル部３９０ｂ〜３９０ｎがそれぞれ隣り合うように実装面１１に実装される。
【００６６】
電力伝送コイル３０Ｒは、実装面１１側から見た場合、１本の導線が時計回りに巻き回されてコイル部３９０ａが形成されており、コイル部３９０ａの端部から延在する導線が反時計回りに巻き回されてコイル部３９０ｂが形成されており、コイル部３９０ｂの端部から延在する導線が反時計回りに巻き回されてコイル部３９０ｃが形成されており、コイル部３９０ｃの端部から延在する導線が反時計回りに巻き回されてコイル部３９０ｄが形成されており、コイル部３９０ｄの端部から延在する導線が反時計回りに巻き回されてコイル部３９０ｅが形成されており、コイル部３９０ｅの端部から延在する導線が反時計回りに巻き回されてコイル部３９０ｆが形成されており、コイル部３９０ｆの端部から延在する導線が反時計回りに巻き回されてコイル部３９０ｇが形成されており、コイル部３９０ｇの端部から延在する導線が反時計回りに巻き回されてコイル部３９０ｈが形成されており、コイル部３９０ｈの端部から延在する導線が反時計回りに巻き回されてコイル部３９０ｉが形成されており、コイル部３９０ｉの端部から延在する導線が反時計回りに巻き回されてコイル部３９０ｊが形成されており、コイル部３９０ｊの端部から延在する導線が反時計回りに巻き回されてコイル部３９０ｋが形成されており、コイル部３９０ｋの端部から延在する導線が反時計回りに巻き回されてコイル部３９０ｍが形成されており、コイル部３９０ｍの端部から延在する導線が反時計回りに巻き回されてコイル部３９０ｎが形成されている。
【００６７】
これにより、電力伝送コイル３０Ｒは、実装面１１側から見た場合、コイル部３９０ａに時計回りの電流が流れ、各コイル部３９０ｂ〜３９０ｎに反時計回りの電流が流れる。この結果、電力伝送コイル３０Ｒは、コイル部３９０ａに発生する磁界の向きと各コイル部３９０ｂ〜３９０ｎに発生する磁界の向きとが逆向きになる。これにより、電力伝送コイル３０Ｒは、隣り合うコイル部３９０ａと各コイル部３９０ｂ〜３９０ｎとにおいて磁界の向きが相互に逆向きになるので、コイル部３９０ａと各コイル部３９０ｂ〜３９０ｎの並び方向の放射磁界を抑制できる。これにより、電力伝送コイル３０Ｒは、通信カプラ２０に影響する放射磁界を抑制することができる。
【００６８】
なお、複数のコイル部３１等は、１本の導線から形成されていなくてもよく、複数の導線から形成されていてもよい。この場合、それぞれの導線に電流を同時に流す。
【００６９】
また、複数のコイル部３１等は、平面状において、導線がコイル軸線Ｚｂ方向に積層され２段以上に巻き回されていてもよい。また、複数のコイル部３１等の個数は、例示した個数に限定されない。
【００７０】
また、非接触電力伝送システム１００は、少なくとも送電側又は受電側の非接触電力伝送ユニットの一方が、隣り合うコイル部３１等において逆回りに電流が流れる電力伝送コイル３０等を備えていればよい。
【符号の説明】
【００７１】
１〜１Ｒ  非接触電力伝送ユニット
２０  通信カプラ（通信部）
３０〜３０Ｒ  電力伝送コイル
３１〜３９０ｎ  コイル部
１００  非接触電力伝送システム
Ｚａ  基準線
Ｚｂ  コイル軸線
【図１】
2018152501.tif 000003
【図２】
2018152501.tif 000004
【図３】
2018152501.tif 000005
【図４】
2018152501.tif 000006
【図５】
2018152501.tif 000007
【図６】
2018152501.tif 000008
【図７】
2018152501.tif 000009
【図８】
2018152501.tif 000010
【図９】
2018152501.tif 000011
【図１０】
2018152501.tif 000012
【図１１】
2018152501.tif 000013
【図１２】
2018152501.tif 000014
【図１３】
2018152501.tif 000015
【図１４】
2018152501.tif 000016
【図１５】
2018152501.tif 000017
【図１６】
2018152501.tif 000018
【図１７】
2018152501.tif 000019
【図１８】
2018152501.tif 000020
【図１９】
2018152501.tif 000021
【図２０】
2018152501.tif 000022
【図２１】
2018152501.tif 000023